(57)【要約】      （修正有）【課題】被験者の入室から退室までを含む検査時のストレスを低減することができ、不測の事態の素早い発見や素早い対応を可能とし、これにより安全性も増すことができるシールドルームを提供する。【解決手段】核磁気共鳴画像装置又は他の医用画像撮像装置を含む空間の上下及び／又は周囲を遮蔽材（遮蔽パネル１３）で囲んだシールドルーム１０において、前記シールドルームの壁面の少なくとも一部に透光性遮蔽材（電磁波遮蔽ガラス１６）を備えた。【選択図】図１
2015198724.tif 000002
【特許請求の範囲】
【請求項１】
核磁気共鳴画像装置又は他の医用画像撮像装置を含む空間の上下及び周囲を遮蔽材で囲んだシールドルームにおいて、
前記シールドルームの壁面の少なくとも一部に透光性遮蔽材を備えたことを特徴とするシールドルーム。
【請求項２】
前記透光性遮蔽材が配された壁面に対して取り外し可能であることを特徴とする請求項１に記載のシールドルーム。
【請求項３】
前記操作室側の壁面を除く他の壁面の一部に備えた透光性遮蔽材が、光透過状態と光不透過・光半透過状態とで切り換え可能な切り換え手段を備えたことを特徴とする請求項１又は２に記載のシールドルーム。
【請求項４】
前記透光性遮蔽材の光透過状態で、尚且つ、シールドルーム室内の天井照明が消灯又は低い照度に保たれている時に、前記核磁気共鳴画像装置又は他の医用画像撮像装置の全体又は装置の一部に光を当てるスポットライトの照明手段を備えたことを特徴とする請求項３に記載のシールドルーム。
【請求項５】
前記透光性遮蔽材の光透過状態で、尚且つ、シールドルーム室内の天井照明が消灯又は低い照度で保たれている時に、前記透光性遮蔽材の枠部を間接照明する間接照明手段を備えたことを特徴とする請求項３又は４に記載のシールドルーム。
【請求項６】
前記光散乱状態の透光性遮蔽材に動画及び／又は静止画を投影する画像投映手段を備えたことを特徴とする請求項３〜５の何れか１項に記載のシールドルーム。
【請求項７】
前記核磁気共鳴画像装置又は他の医用画像撮像装置の動作時間の経過に伴って室内照明の光度及び／又は彩度及び／又は照明範囲が変更される照明器具を備えたことを特徴とする請求項１〜６の何れか１項に記載のシールドルーム。
【発明の詳細な説明】
【技術分野】
【０００１】
本発明は、例えばｆＭＲＩを含む核磁気共鳴画像装置（ＭＲＩ）や、Ｘ線ＣＴ装置、ＰＥＴ装置、ＳＰＥＣＴ装置等の医用画像撮像装置が内部に配置され、外部及び／又は内部からの電波や、外部及び／又は内部からの磁場及び／又は内部からの放射線をシールドするための構造、所謂シールドルームに関し、特に被験者に不安を与えることが少なく、被験者候補や一般人に対して核磁気共鳴画像装置等の医用画像撮像装置や医用画像撮像検査に対する理解を促すシールドルームに関するものである。
【背景技術】
【０００２】
核磁気共鳴画像装置（ＭＲＩ）は、０．２〜９．４テスラの静磁場の中で被験者（被検物）の組織中に存在する水素原子と共振する８．５〜４００．３ＭＨｚの電磁波（ＲＦ帯）を与えて励起させ、定常状態に戻る際の微弱な電波信号の強弱や緩和時間を基にして被験者（被検物）の組織の画像面・画像群を得る装置である。このため、強いＲＦ帯の電磁波が外部へ漏洩することを遮蔽する必要があり、尚且つ、弱いＲＦ帯の電磁波を検出するために室外からの外来電波（ノイズ）を遮蔽する必要がある。このため、導電性の高い金属で医用画像撮像装置の周囲空間を囲う、例えば床・壁・天井の６面を囲う、電磁波シールドが必要となる。また、放射線を使用する医用画像撮像装置の場合は、放射線が外部へ漏洩することを遮蔽する目的で、放射線シールドが必要となる。
【０００３】
一方、現在の臨床用としては最大強度である３．０テスラの出力がある核磁気共鳴画像装置のマグネットが作り出す磁場は、通常の地磁気（約５×１０−５テスラ）の約６万倍となる。施設の安全性を考える際、漏洩磁場の人体への影響は重要な項目の一つであり、ＪＩＳ  Ｚ４９５１には「立ち入り制限区域の外側は、漏洩磁場強度が０．５ｍＴ(５×１０−４テスラ)を超えてはならない。」と定められている。例えば３．０テスラのマグネットが設置される検査室の空間として縦１２ｍ×横７ｍ×高さ４．５ｍ以上確保されれば距離による減衰で０．５ｍＴレベルまで磁場が下がるが、実際に病院内或いはクリニック内等で確保可能なスペースははるかに小さく、例えば縦７ｍ×横５ｍ×高さ３．０ｍ程度である。このため、磁気シールドが必要となる。具体的には磁力線が通り易い高透磁率で飽和磁束密度の大きな材料を選定し、例えば電波シールドの外側の床・壁・天井に施工する。
【０００４】
このようなシールドルームでは、核磁気共鳴画像装置による撮像スキャン時に被験者は多大なストレスを感じることが多い。具体的に、被験者の目線では、次のようである。付き添われた看護師によってエアロックのような重そうな扉が開かれ、シールドルーム内に入ると、白い壁で周囲を覆われた室内中央に設置された核磁気共鳴画像装置に対面する。後方で看護師が退出し扉が閉じられ静寂がおそう。目の前の核磁気共鳴画像装置に圧倒されていると、後方から人の気配があり、振り返ると白衣の人物が別の小さな扉からシールドルーム内に入ってくる。
【０００５】
小さな扉の横には小さな窓が見え、操作室になっており、白衣の人物は装置のオペレータであることが判る。入ってきたオペレータから簡単な説明を受け、幅の狭いテーブルに寝かされ、白い天井を見上げる。被験者によっては、ここで造影剤や精神安定剤、睡眠剤などを注射され、或いは服用する。オペレータが操作室方向の扉から出ていく。操作室への扉が閉められる際は、グレモン錠による施錠が行われるため、室内空気が密閉され緊張感が高まる。暫くすると、撮像スキャンが始まる。室内の圧迫感に加え、大きな騒音のする主装置内部へ導入され、更なる圧迫感が加えられる。スピーカーを介して話しかけてくるオペレータの指示は心安らぐものではない。
【０００６】
現在では、騒音を減少させた核磁気共鳴画像装置の製品化も進んでいるが、シールドルーム自体の改善はその余地が充分にある。現在、提案されているものとしては、被験者のストレスを少しでも緩和するために、画像プロジェクタによってシールドルームの面に画像を投影する画像投映システムがある（例えば、特許文献１参照）。
【０００７】
この提案は、具体的には、被験者が見ることができる壁、例えば入り口のドアに隣接する壁に画像が表示されるように、シールドルームの壁に画像を表示するものである。被験者が核磁気共鳴画像装置のテーブル上に横たわっている時、画像の投影は、画像プロジェクタにより放射される光線内に映される例えばミラーを用いて、投影される画像を方向転換することにより他の壁に切り換えるものである。
【先行技術文献】
【特許文献】
【０００８】
【特許文献１】特表２０１３−５４６０２４号公報
【発明の概要】
【発明が解決しようとする課題】
【０００９】
しかしながら、このような提案であっても、核磁気共鳴画像装置が載置されるシールドルーム内の圧迫感、被験者の孤独感は完全には解消しないことは明白である。被験者は操作室側以外の全ての壁が閉鎖されているシールドルーム内にたった一人残されるからである。また、このようなストレスによって子供や閉所恐怖症の被験者の中には、検査自体を拒絶する者もおり、何とかしてこれらの被験者を検査が受けられるようにすることが課題であった。
【００１０】
そもそも、撮像スキャン時に被験者以外の人物がシールドルーム内に存在してはならない。しかしながら、撮影時に、被験者が突然暴れ始めたり、不慮の事故により倒れたりするケースもあり、尚且つ、一刻を争う場合もある。このため、被験者が医師・技師・看護師等の視界に常に入っていることは医療安全の観点からも非常に重要である。
【００１１】
更に、現在の核磁気共鳴画像装置の本体部は、寸法が例えば縦２．０ｍ×横２．４ｍ×高さ２．４ｍ、重さが数ｔ〜十数ｔの電磁コイル部が主な構成部材である。本体部を含む装置全体をリプレイスする際には、電磁コイル部を入れ換える必要があり、シールドルームには大きな開口が必要であるが、従来のシールドルームは開口寸法が小さく、尚且つ、電磁コイル部を入れ換えることにより発生する工事により、必要なシールド性能を工事後も確保することが技術的に困難であったため、シールドルーム全体を解体し、新たに作り直す必要があった。
【００１２】
ところで、核磁気共鳴画像装置による撮像画像の解像度や撮像時間に直接的に関係するＳ／Ｎ比は、電磁コイル部から発生される磁場が強いほど解像度は高く、撮影時間は短くなる傾向となるため、最新の装置では強い磁場を発生させるために電磁コイル部が大きくなる傾向がある。このため、設置されるシールドルームにおいては、撮影本体部の搬入口を大きくせざるを得ない状況になってきている。
【００１３】
一方、同じ医用画像撮像装置としてのＸ線ＣＴ装置においては、核磁気共鳴画像装置に比べてはるかに騒音や閉塞感が少なく、撮像時間も短いが、スキャン時には核磁気共鳴画像装置と同様にシールドルーム内に一人となることは核磁気共鳴画像装置と同様である。そのため、核磁気共鳴画像装置と同様に被験者の孤独感を低減する必要がある。尚、同じ医用画像撮像装置であるＰＥＴ装置やＳＰＥＣＴ装置、ＡＮＧＩＯ装置等においても同様である。
【００１４】
本発明は、被験者の入室から退室までを含む検査時のストレスを低減することができ、尚且つ、不測の事態の素早い発見や素早い対応を可能とし、これにより安全性も増すことができるシールドルームを得ることを目的とする。また、装置本体部（核磁気共鳴画像装置では電磁コイル部を含む）のリプレイスが、シールドルーム全体を壊さず、大型開口部に取付けられている部材の取り外し・再取付けのみで可能となるシールドルームを得ることができる。そして、大型化が予想される新たな装置にも対応することが可能となるシールドルームを得ることができる。更に、被験者候補の理解を深めることが可能となるシールドルームを得ることができる。
【課題を解決するための手段】
【００１５】
請求項１に記載された発明に係るシールドルームは、核磁気共鳴画像装置又は他の医用画像撮像装置を含む空間の上下及び周囲を遮蔽材で囲んだシールドルームにおいて、
前記シールドルームの壁面の少なくとも一部に透光性遮蔽材を備えたことを特徴とするものである。
【００１６】
請求項２に記載された発明に係るシールドルームは、請求項１に記載の透光性遮蔽材が取り外し可能であることを特徴とするものである。
【００１７】
請求項３に記載された発明に係るシールドルームは、請求項１又は２に記載の操作室側の壁面を除く他の壁面の一部に備えた透光性遮蔽材が、光透過状態と光不透過・光半透過状態とで切り換え可能な切り換え手段を備えたことを特徴とするものである。
【００１８】
請求項４に記載された発明に係るシールドルームは、請求項３に記載の透光性遮蔽材の光透過状態で、尚且つ、シールドルーム室内の天井照明が消灯又は低い照度で保たれている時に、前記核磁気共鳴画像装置又は他の医用画像撮像装置の全体又は装置の一部に光を当てるスポットライトの照明手段を備えたことを特徴とするものである。
【００１９】
請求項５に記載された発明に係るシールドルームは、請求項３又は４に記載の透光性遮蔽材の光透過状態で、尚且つ、シールドルーム室内の天井照明が消灯又は低い照度で保たれている時に、前記透光性遮蔽材の枠部に間接照明する間接照明手段を備えたことを特徴とするものである。また、間接照明手段以外にも、透光性遮蔽材の枠部にイルミネーション等の電飾手段を備えてもよい。また、検査室外部の枠材に植物を植えてもよい。
【００２０】
請求項６に記載された発明に係るシールドルームは、請求項３〜５の何れか１項に記載の光不透過状態の透光性遮蔽材に動画及び／又は静止画を投影する画像投映手段を備えたことを特徴とするものである。
【００２１】
請求項７に記載された発明に係るシールドルームは、請求項１〜６の何れか１項に記載の核磁気共鳴画像装置又は他の医用画像撮像装置の動作時間の経過に伴って室内照明の光度及び／又は彩度及び／又は照明範囲が変更される照明器具を備えたことを特徴とするものである。
【発明の効果】
【００２２】
本発明は、被験者のストレスを低減することができ、尚且つ、不測の事態の素早い発見や素早い対応を可能とし、これにより安全性も増すことができる。また、シールドルーム全体を壊すことなく装置を入れ換えたり、大型化が予想される新たな装置にも対応することが可能となる。更に、被験者候補の理解を深めることが可能となるという効果が期待できる。
【図面の簡単な説明】
【００２３】
【図１】本発明のシールドルームの一実施例の構成を示す平面図である。
【図２】図１の天井伏図である。
【図３】図１のＡ−Ａ断面図である。
【発明を実施するための形態】
【００２４】
本発明においては、核磁気共鳴画像装置又は他の医用画像撮像装置を含む空間の上下及び周囲を遮蔽材で囲んだシールドルームにおいて、シールドルームの壁面の少なくとも一部に透光性遮蔽材を備える。これにより、被験者のストレスを低減することができ、尚且つ、安全性も増すことができる。透光性遮蔽材は広く設置されれば被験者のストレスを低減するだけでなく、内部に保持された医用画像撮像装置を上回る大きさ（広さ）であれば、古い核磁気共鳴画像装置を搬出し、新たな核磁気共鳴画像装置を搬入することも可能となる。
【００２５】
透光性遮蔽材が備わる壁面としては、内部に保持された医用画像撮像装置を上回る大きさが設置できる壁面であれば何れの壁面であってもよい。しかしながら、被験者のストレスを考慮するのであれば、より好ましくは、核磁気共鳴画像装置又は他の医用画像撮像装置に指令を与えたり、画像を確認する操作室側の壁面を除く他の壁面の少なくとも一部に透光性遮蔽材を備える。
【００２６】
即ち、核磁気共鳴画像装置又は他の医用画像撮像装置に指令を与える操作室側の壁面を除く他の壁面の少なくとも一部に透光性遮蔽材を備えることにより、被験者はシールドルーム外部の様子を透光性遮蔽材越しに見る或いは感じることができるため、開放感が得られることにより、圧迫感が解消されるだけでなく、付き添いの肉親、友人、知人、医師、技師、看護師の様子も判るため、孤独感も解消される。また、逆にオペレータだけでなく付き添いの肉親、友人、知人、医師、技師、看護師等が透光性遮蔽材越しに被験者の様子を見ることが可能となるため、被験者の不測の事態でも素早い発見や素早い対応が可能となり安全性が高まる利点もある。
【００２７】
更に、透光性遮蔽材が建物の外壁側に取付けられた場合は、外光が入り外の開放感も感じることができるため、被験者への安心感は更に向上する。また、透光性遮蔽材を光透過状態とした場合は、建物の外を通る人から装置が見え、理解を深めることに役立つ。光不透過状態の透光性遮蔽材に動画及び／又は静止画を投影することで、建物の外を通る人に様々な情報を伝達することも可能となる。
【００２８】
本発明のシールドルームとしては、ｆＭＲＩを含む核磁気共鳴画像装置（ＭＲＩ：Magnetic Resonance Imaging）、Ｘ線ＣＴ装置（X-ray Computed Tomography）、ＰＥＴ装置（Positron Emission Tomography）、ＳＰＥＣＴ装置（Single Photon Emission computed Tomography）、血管造影装置（Angiography）等の医用画像撮像装置を含む空間の上下及び／又は周囲を遮蔽材で囲んだシールドルームを指す。
【００２９】
本発明における透光性遮蔽材としては、透光性を有した遮蔽材であればよい。核磁気共鳴画像装置では、ＲＦ帯域の電波を遮蔽する電磁波遮蔽材であればよく、透明なガラス板や合成樹脂板に導電性の金属メッシュ材又は繊維メッシュ材を配したり、透明なガラス板や合成樹脂板面上に導電性のインクで種々のパターンを印刷したもの等を選択することができる。また、他の医用画像撮像装置では、Ｘ線やガンマ線を主とする放射線の室外への漏洩を遮蔽する放射線遮蔽材であればよく、鉛成分を含有する鉛含有ガラスを選択することができる。
【００３０】
好ましくは、これらの透光性遮蔽材は、配された壁面に対して取り外し可能とされる。より具体的には、核磁気共鳴画像装置では、電磁波遮蔽材の面上に形成された金属メッシュ材又は繊維メッシュ材や印刷パターンとの電気的な接続を外し、透光性電磁波遮蔽材を取付け枠から又は取付け枠ごと外すことにより、シールドルームの開口部が現れる。この開口部から古い核磁気共鳴画像装置を搬出し、新たな核磁気共鳴画像装置を搬入することが可能となる。従って、透光性電磁波遮蔽材を被験者の出入り口よりも大きくしておけば、大きな核磁気共鳴画像装置を搬出及び／又は搬入することが可能となる。
【００３１】
好ましくは、古い核磁気共鳴画像装置を搬出し、新たな核磁気共鳴画像装置を搬入するために、透光性遮蔽材を配された壁面に対して取り外した開口部にはシールドルーム内外の床面の高さから突出する部分が少ない又は全くない状態とする。例えば、透光性遮蔽材を枠材で囲んで機械的及び電気的に連結するために床面には透光性遮蔽材の下枠材自身又は下枠材を更に下方から支持する連結下枠が挿入される溝を形成し、下枠材又は連結下枠を溝内部で機械的及び電気的に連結する構成とする。これにより、古い核磁気共鳴画像装置を搬出し、新たな核磁気共鳴画像装置を搬入する際には開口部はシールドルーム内外の床面の高さから突出する部分が少ない又は全くない状態とすることができ、搬出・搬入作業が容易となる。
【００３２】
また、Ｘ線やガンマ線を主とする放射線を使用する医用画像撮像装置では、透光性遮蔽材としての鉛含有ガラスを取付け枠から又は取付け枠ごと外すことにより、シールドルームへの開口部が現れる。この際に壁面に対して取り外した開口部にはシールドルーム内外の床面の高さから突出する部分が少ない又は全くない状態とする。この開口部から古い医用画像撮像装置を搬出し、新たな医用画像撮像装置を搬入することが可能となる。従って、透光性鉛含有ガラスを被験者の出入り口よりも大きくしておけば、大きな医用画像撮像装置を搬出及び搬入又は入れ換えることが可能となる。
【００３３】
透光性遮蔽材の大きさについては、大きければ大きいほどシールドルームの開放感が増すが、あまりに面積の大きな透光性遮蔽材を用いると飛躍的に材料費、施工費が嵩むことになる。そのため、複数枚の透光性遮蔽材同士を枠で連結して広い視野を確保する。具体的には、横８００ｍｍ×高さ２４００ｍｍの透光性遮蔽材を幅５０ｍｍ程度の枠材で横方向に隣接する透光性遮蔽材と機械的及び電気的に連結する。
【００３４】
被験者への視覚的な開放感を与えるためには、少なくとも横８００ｍｍ以上を必要とし、好ましくは２５００ｍｍ以上（８００×３＋５０×２）、より好ましくは３３５０ｍｍ以上（８００×４＋５０×３）、更に好ましくは５９００ｍｍ以上（８００×７＋５０×６）であれば、圧倒的な開放感を被験者へ与えることができる。尚、放射線の遮蔽に関しても、透光性遮蔽材の遮蔽効果に加えて枠材自体の遮蔽効果が必要となるため、枠材自体も遮蔽効果の高い材質で構成する必要がある。この場合、透光性遮蔽材と枠材との連結は機械的な連結のみを考慮すればよいため、より細い枠材とすることも可能である。
【００３５】
尚、透光性遮蔽材同士を機械的及び電気的に連結する枠材としては、幅が狭いほど開放感が増すことは言うまでもないが、窓枠程度の幅とすることにより、被験者にとっては違和感がなく解放されていると感じるようである。そこで、少なくとも幅１００ｍｍ以内、好ましくは８０ｍｍ以内であればより窓枠程度幅であることが感じられ、５０ｍｍ以内であれば被験者により開放感を与えることができ、更に好ましくは４０ｍｍ以内、３０ｍｍ以内であれば、圧倒的な開放感を被験者に与えることができる。
【００３６】
加えて、シールドルームの一側壁だけでなく、他の側壁面、例えば対向する両側壁面や隣接する２壁面、或いは３壁面に透光性遮蔽材を用いることにより、更に圧倒的な開放感を被験者へ与えることができる。可能であるならば、一方の側壁面は病院の廊下に面し、廊下側から付き添いの肉親、友人、知人、医師、技師、看護師の様子が透光性遮蔽材越しに見え或いは感じることができ、他方の側壁面は病院の外の景色が透光性遮蔽材越しに見える状態であれば、圧倒的な開放感を被験者へ与えることができる。
【００３７】
尚、入ってくる外光の量や外の景色の見え方を変更し、例えばうっすらと光透過させたい場合には、透光性遮蔽材に備える光透過状態と、光不透過・光半透過状態（例えば、光を散乱、反射、吸収させ全ての光を不透過とするか強度を低減させて一部を透過するかの状態）とで切り換え可能な切り換え手段が光透過性を調節できる。例えば、検査室の外側に人気（ひとけ）が感じられるくらいがよい被験者の場合は、この光透過性の調節機能が大変有効である。
【００３８】
透光性遮蔽材の上下方向の長さについては、被験者の目の高さを中心にした一定の上下長さであれば、窓から眺めたような開放感は得られる。しかしながら、被験者の目線にたってみれば、付き添いの肉親、友人、知人、医師、技師、看護師の足下まで透光性遮蔽材越しに見ることができ、更に、肉親、友人、知人、医師、技師、看護師越しにシールドルーム外部の様子が見えることによる圧倒的な開放感は比較にはならないほど大きい。よって、床面から天井面までの枠で固定される長さとすることが好ましい。特に上下方向の長さを長く取った場合には、古い核磁気共鳴画像装置を搬出し、新たな核磁気共鳴画像装置を搬入することがより容易となる。
【００３９】
また、好ましい透光性遮蔽材は、光透過状態と光不透過・光半透過状態（例えば、光を散乱及び／又は反射及び／又は吸収させた状態）とで切り換え可能な切り換え手段を備える。即ち、操作室側の壁面を除く他の壁面の一部に備えた透光性遮蔽材が、光透過状態と光不透過・光半透過状態とで切り換え可能な切り換え手段を備える。例えば、光透過が印加電圧によって変化する活性層を遮蔽ガラスの表面上又は内部に備えればよい。これにより、印加電圧を入り切りすることにより、光透過状態と光不透過・光半透過状態とを切り換え可能とする遮蔽機能を備えた調光ガラスとして機能することができる。尚、この調光ガラスは印加電圧を調整することにより、光透過性（光透過率、光が通過する量）を調節することが可能としてもよい。更に、この調光ガラスとしては、全面を切り換え可能とする以外にも、光不透過・光半透過状態の一部を光透過状態とすることも可能としてもよい。
【００４０】
更に、印加電圧の入り切りする切換えスイッチは操作室のオペレータによるだけでなく、透光性遮蔽材越しの室外部にも備えることにより、光不透過・光半透過状態時に検査室内部で例えば被験者が助けを呼ぶ叫び声等の不審な音があった場合に光透過状態に切り換えることにより、一秒を争う被験者の不測の事態にも複数の人により素早く対処可能となる安全性の向上という利点もある。この場合、透光性遮蔽材の外方に配置された室外部の切り換えスイッチは成人が手を上に伸ばして届く高い位置（例えば、１５０〜１８０ｃｍ）に設置することにより、何気ない子供のいたずらや誤作動を防ぐことが可能となる。
【００４１】
また、本発明の好ましい態様としては、透光性遮蔽材の光透過状態で、尚且つ、シールドルーム室内の天井照明が消灯又は低い照度で保たれている時に、核磁気共鳴画像装置又は他の医用画像撮像装置の全体又は装置の一部に光を当てるスポットライト等の照明手段を備える。更に、より好ましい態様としては、透光性遮蔽材の光透過状態で、尚且つ、シールドルーム室内の天井照明が消灯又は低い照度で保たれている時に、前記透光性遮蔽材の枠部を間接照明する間接照明手段を備える。また、間接照明手段以外にも、透光性遮蔽材の枠部にイルミネーション等の電飾手段を備えてもよい。また、検査室外部の枠材に植物を植えてもよい。
【００４２】
これにより、核磁気共鳴画像装置又は他の医用画像撮像装置の実物を全く知らない被験者候補であっても、実物を見ることができ、病院の医師や看護師等に尋ねることもでき、被験者候補の理解を深めることが可能となる。特に、病院の外部に透光性遮蔽材を配置した場合には、夜間ディスプレイとして使用することができ、核磁気共鳴画像装置又は他の医用画像撮像装置の実物を全く知らない一般人であっても、実物を見ることができ、興味を持った場合には保有している病院や製造している会社のホームページ等にアクセスしてその原理や事例等を調べることもでき、一般人の理解を深めることが可能となるだけでなく、広告としても利用することができる。
【００４３】
また、本発明の他の好ましい態様としては、光不透過・光半透過状態とした透光性遮蔽材に動画及び／又は静止画を投影する画像投映手段を備えることにより、白濁状態又は灰濁状態等にして不透明となった透光性遮蔽材をスクリーンとして利用することができ、外部の風景が見えなくなった場合でも被験者の孤独感や検査への嫌忌感、倦怠感を低減させることができる。
【００４４】
更に、本発明の他の好ましい態様としては、核磁気共鳴画像装置又は他の医用画像撮像装置の動作経過に伴って室内照明の光度及び／又は彩度及び／又は照明範囲が変更される照明器具を備える。これにより、被験者に撮像の開始から終了までの照明プロセスを予め教えた上で撮像スキャンを開始することにより、横になったままの姿勢でも検査プロセスに対する現在時点が判り、倦怠感を低減させることができる。また、核磁気共鳴画像装置による心臓画像撮像の際には眠ってはならない検査条件のため、このような検査プロセス全体の中での現在位置が確認できることは効果的である。
【００４５】
尚、具体的な照明の変更としては、撮像スキャンの開始をほの暗い照明から、撮像スキャンの終了に向けて徐々に明るくすること、或いはその逆が採用される。また、天井全体を照明とし、眠ってはいけない時間帯に関しては天井全体を明るく、それ以外は薄暗い状態にしておく方法も効果的である。更に、天井全体の照明を例えば１０分割しておき、検査の進行度合により部分的に明るくする方法もよい。部分的に明るくする方法は、左から右、中央から端等、様々な方法が考えられる。尚、室内照明は複数の照明の内、個々の照明の光度や彩度を変更させるようにしてもよいし、複数の照明の内、点灯させる照明を変更したり、照明範囲を変更してもよい。
【実施例】
【００４６】
図１は本発明のシールドルームの一実施例の構成を示す平面図である。図２は図１の天井伏図である。図３は図１のＡ−Ａ断面図である。図に示す通り、本実施例のシールドルーム１０は、一点鎖線で示した核磁気共鳴画像装置（ＭＲＩ）１１を囲むように床面、天井面及び周囲の壁面を遮蔽材１３で囲んで構成されている。より詳しくは、躯体壁１２の内側に厚み２ｃｍの遮蔽パネル１３が天井面、床面、壁面に設置され、更にその内側に内装パネル１４が装着されている。内装パネル１４の廊下１５側でない方の角部は丸く面取りされている。
【００４７】
本実施例のシールドルーム１０においては、廊下１５側の壁面に透光性遮蔽材として、幅８００ｍｍの電磁波遮蔽ガラス１６が７枚並設されて装着されている。具体的には、本実施例のシールドルーム１０はおおよそ縦８３００ｍｍ×横４６００ｍｍ×高さ２８００ｍｍの直方体で形成されているが、その長辺方向の一方の壁面に幅が１６５０ｍｍの自動スライドドア１７に隣接して幅５９００ｍｍにわたって７枚の幅８００ｍｍの遮蔽ガラス１６が並設されて装着されている。個々の遮蔽ガラス１６の隣接する遮蔽ガラス１６との間には幅５０ｍｍのステンレス製の導電性枠１８が装着されており、遮蔽ガラス１６の上下端縁を保持する取付け枠体と機械的及び電気的に接続されている。
【００４８】
本実施例で用いた遮蔽ガラス１６は、ステンレス製の導電性枠１８と確実に電気的接合を確保するために、実際の遮蔽ガラス１６の幅は標準で８２９ｍｍ×２４３５ｍｍである。また、遮蔽ガラス１６は、厚み５ｍｍの２枚のガラスの間に１枚の繊維メッシュ材が挟み込まれている。挟み込まれた繊維メッシュ材は四周（上下面及び左右面）で取付け枠材と電気的に接続されており、この遮蔽ガラス１６を厚み７２ｍｍの空隙を隔てて２枚取付けることにより、核磁気共鳴画像装置の動作中心周波数（例：６３．８６ＭＨｚ±０．５ＭＨｚ）の電磁波に対し、減衰性能９０〜１００ｄＢという必要な遮蔽性能を保っている。尚、導電性枠は、ステンレスを始めとし、アルミ、真鍮等導電性素材で製造された導電性枠又は導電性塗布剤や導電製箔を表層に施した導電性枠である。
【００４９】
遮蔽ガラス１６の廊下１５側表面には光透過の度合が印加電圧によって変化する活性層（図示せず）が設けられ、光透過状態から光半透過状態を経て光不透過状態へと段階的に調節可能となっている。この光透過状態から光半透過状態を経て光不透過状態へと段階的に調節可能な調節つまみと、光透過状態から調節後の光半透過状態あるいは光不透過状態への切換えスイッチのセットは、操作室２０内の操作盤に設置されると共に、廊下１５のステンレス製の導電性枠１８の近くに成人が手を上に伸ばして届く高い位置、及び検査室内にも配置されている。
【００５０】
操作室以外の廊下側の壁面に遮蔽ガラス１６を備えることにより、被験者はシールドルーム１０外部の様子を遮蔽ガラス１６越しに見ることができるため、開放感が得られることにより、圧迫感が解消されるだけでなく、付き添いの肉親、友人、知人、医師、技師、看護師の様子も判るため、被験者のストレスを低減することができ、孤独感も解消される。また、逆にオペレータである技師だけでなく付き添いの肉親、友人、知人、医師、看護師等が透光性遮蔽材越しに被験者の様子を見ることが可能となるため、被験者の不測の事態でも迅速に対応可能となり安全性が高まる。
【００５１】
また、遮蔽ガラス１６は導電性枠１８で接続されているため、遮蔽ガラス１６の金属メッシュとの電気的な接続をし、遮蔽ガラス１６を取付け枠から外すことにより、自動スライドドア１７よりも大きなシールドルーム１０への開口部が現れる。この開口部から古い核磁気共鳴画像装置１０を搬出し、新たな核磁気共鳴画像装置を搬入することが可能となる。尚、取付け枠にはシールドルーム内を間接的に照明するＬＥＤ等のライトを備えてもよい。
【００５２】
シールドルーム１０の床面には核磁気共鳴画像装置１１に接続される種々のケーブルが配されるケーブルピット（図示せず）の他に、核磁気共鳴画像装置１１の磁場を発生させる本体部１１ａを囲むように２本のアクティブ磁気キャンセラーのキャンセリングコイル１９が配設されており、このキャンセリングコイル１９は一側壁の導電性枠１８の内側に隣接させた２本の配線用パイプ２８ａの中の各々を通り、天井面の配線用パイプ２８ｂを通り、他側壁の遮蔽パネル１３面の配線用パイプ２８ｃを通り、床面に穿設された溝２８ｄを通って、各々のキャンセリングコイル１９に至る電気的に接続された環状の導通路を形成している。
【００５３】
シールドルーム１０の長手方向の一方には操作室２０が配置されている。操作室２０にはシールドルーム１０への出入りを行うスライドドア２１と廊下１５側への出入りを行うスライドドア２２とが設置されている。スライドドア２１の側方にはシールドルーム１０内部を目視するための遮蔽ガラス２３が装着されている小窓２４が配設されている。
【００５４】
シールドルーム１０の長手方向の他方にはフィルターボックス３０が配設され、シールドルーム１０内外で信号や電力等を送受する。また、シールドルーム１０の天井面には４つの吸排気口があり、１つの排気口３７と１つの吸気口３８とが配設され、２つの緊急排気口（図示せず）が配設されている。これらの箇所にも、シールド処理がされている。
【００５５】
シールドルーム１０の天井面には、長手方向に沿った縦方向に配線等の目隠しとしてウッド調の目隠し板２５と白地の目隠し板２６と長手方向を横断する方向に導電性枠２８とが渡されている。各目隠し板２５、２６の間には照明パネル２９が配置されている。最も廊下１５側に配されたウッド調の目隠し板２５には、自動スライドドア１７の駆動部を内部に保持しつつ、スライドドア１７を電気的に連結する連結手段が配された導電性枠２８等と電気的に導通されている。シールドルーム１０の中央の２つの目隠し板２６は器具取付け用であり、後述するような天井面に配される器具及び電気的な配線等を保持する。
【００５６】
核磁気共鳴画像装置１１の磁場を発生させる本体部１１ａの上部には隣接する２つは器具用目隠し板２６に渡されるように配された広い目隠し板２７を備える。目隠し板２６には、シールドルーム内の煙や熱を感知して警報を鳴らす火災警報機３１と、停電等の緊急時にシールドルーム内を照明する緊急時照明具３２とが配されており、核磁気共鳴画像装置１１の本体部１１ａの上方には、広い目隠し板２７にクエンチパイプ３３が配設されている。このクエンチパイプ３３は、クエンチ時に核磁気共鳴画像装置１１の超伝導マグネットを冷却している液体ヘリウムが爆発的に気化した膨大なヘリウムガスをシールドルーム１０外へ排出する。核磁気共鳴画像装置の入れ換えの際には、この広い目隠し板２７を取り換えることにより、新たな核磁気共鳴画像装置に適合したクエンチパイプ３３の配管ルートを確保することが可能となる。
【００５７】
本実施例では核磁気共鳴画像装置１１のテーブル部分を照明するための天井ライト３４が天井面の器具用目隠し板２６に配設されている。この天井ライト３４とは別にスポットライト照明手段として、核磁気共鳴画像装置１１の廊下側本体部１１ａを照明するスポットライト３５が一対ずつシールドルームの天井面と床面とに配されている。これらのスポットライト３５は、遮蔽材ガラス１６の光透過状態で、尚且つ、シールドルーム１０内の照明パネル２９が消灯又は低い照度で保たれている時に、核磁気共鳴画像装置１１の本体部１１ａの一部に光を当てる。尚、スポットライト３５については、天井面のみ又は床面のみに配されてもよい。
【００５８】
これにより、核磁気共鳴画像装置１１の実物を全く知らない被験者候補であっても、廊下１５側から実物を見ることができ、病院の医師や看護師等に尋ねることもでき、被験者候補の理解を深めることが可能となる。その後、被験者となった場合でも全く知らない機械ではなくなるため、被験時のストレスが大幅に軽減されることは言うまでもない。
【００５９】
本実施例のシールドルーム１０内部の照明パネル２９は、操作室２０内の図示しない照明用の制御手段によって、撮像スキャンの作動開始から徐々に個々の照明の光度を上げる制御を行う。これにより、スキャン終了時を被験者に教えることができる。即ち、撮像スキャンの開始をほの暗い照明から、撮像スキャンの段階で徐々に明るくすることで、被験者に終了間際の照明状態を予め教えた上で撮像スキャンを開始することにより、撮影用ベッドの上に横たわったままの姿勢でも終了状態が判り、不安や倦怠感を低減させることができる。
【００６０】
廊下１５の天井面にも照明パネル２９と器具用目隠し板２６が配置されている。中央の遮蔽ガラス１６に対向する廊下側の器具用目隠し板２６には画像投映手段としての投影機３６が配されており、光不透過・光半透過状態の白濁又は灰濁して不透明となった遮蔽ガラス１６をスクリーンとして動画及び／又は静止画を投影することにより、シールドルーム１０内で外部の風景が見えなくなった場合でも被験者の孤独感を低減させることができる。尚、投影機については廊下側に設置したが、外部の人の影等が映り込まないように、遮蔽ガラス１６の廊下型の略真上から投映することのできる短焦点タイプの投影機を用いたり、シールドルーム内部に設置し、シールドルーム内部から投映してもよい。
【００６１】
また、この光不透過・光半透過状態の遮蔽ガラスへの投映は被験者だけでなく、廊下にいる他の被験者、付き添いの肉親、友人、知人にとっての施設環境及び医療環境、或いは医師、看護師、医療施設職員にとっての職場環境を向上させることができる利点もある。具体的には森や海等の自然環境、クリスマスや年末年始等の四季を感じさせるイベント、施設側からの重要なインフォーメーション等の静止画や動画を投影することによって、実現できる。このような環境の向上は、間接的ではあるが、医療サービスの向上を促進させる効果を持つ。更に、医療施設及び／又は装置メーカ等のロゴマークや広告、宣伝等も表示したり、非常時には避難方向を示す矢印を投影することでスムーズな避難を助ける等、新しい壁面の使い方を実現することができる。
【００６２】
最後に、本実施例は核磁気共鳴画像装置用のシールドルームであるが、放射線を使用する医用画像撮影装置を内部に保持したシールドルームにおける透光性遮蔽材としては、前述の遮蔽ガラス１６に、放射線を遮蔽するために鉛成分を含有する鉛含有ガラスを用いることで被験者のストレスや不安感を低減させることができる。
【符号の説明】
【００６３】
１０  …シールドルーム、
１１  …核磁気共鳴画像装置（ＭＲＩ）、
１１ａ…本体部、
１２  …躯体壁、
１３  …遮蔽パネル、
１４  …内装パネル、
１５  …廊下、
１６  …電磁波遮蔽ガラス、
１７  …自動スライドドア、
１８  …導電性枠、
１９  …キャンセリングコイル、
２０  …操作室、
２１  …スライドドア、
２２  …スライドドア、
２３  …遮蔽ガラス、
２４  …小窓、
２５  …目隠し板、
２６  …器具用目隠し板、
２７  …目隠し板、
２８ａ…配線用パイプ、
２８ｂ…配線用パイプ、
２９  …照明パネル、
３０  …フィルターボックス、
３１  …火災警報機、
３２  …緊急時照明具、
３３  …クエンチパイプ、
３４  …ライト、
３５  …スポットライト（スポットライト照明手段）、
３６  …投影機、
３７  …排気口、
３８  …吸気口、
【図１】
2015198724.tif 000003
【図２】
2015198724.tif 000004
【図３】
2015198724.tif 000005